(57)【要約】【課題】未発色のカプセルトナーを用いてフルカラーの画像を形成する。【解決手段】多色画像形成装置４０において円筒状の中間搬送体９は矢印ｋ方向に回転する。カプセルベタ配置機構１は中間搬送体９の周面に未発色のカプセルトナー７をベタ配置する。第１の超音波ラインヘッド１１は破壊共振周波数とは異なる強力集束超音波を照射して画像形成には関与しない不使用のカプセルトナー７を除去カプセルトナー７´として中間搬送体９の搬送面から弾き飛ばす。不使用カプセル除去機構２は気体１７中を飛翔する除去カプセルトナー７´を気体１７の流れに沿ってカプセル回収機構６方向に搬送し回収させる。除去されなかった画像形成に関与するカプセルトナー７はカプセル発色機構３の液体８中に搬送される。第２の超音波ラインヘッド１２はカプセルトナー７に対し画素サイズに収束した複数種の共振破壊周波数の超音波を選択的に照射して所定の色に発色させカラー画像１４を形成する。【選択図】      図１１
2005225013.tif 000002
【特許請求の範囲】
【請求項１】
所定の刺激によって破壊可能なカプセル壁で囲繞された複数種の小径マイクロカプセルを支持材に分散内包する大径マイクロカプセルから成り、互いに混合されて発色反応を起こす反応性物質の一方を前記各々の小径マイクロカプセル壁内側に分散し、前記反応性物質の他方を前記支持材に分散して成るマイクロカプセルトナーを用いる多色画像形成装置であって、
前記マイクロカプセルトナーを中間搬送体の搬送面の少なくとも画像形成最大有効範囲で全面に配置するカプセル全面配置手段と、
画像データの論理和より合成されたデータに基づく画素に対応する以外の不使用の前記マイクロカプセルトナーを前記中間搬送体の前記搬送面から除去する不使用カプセル除去手段と、
該除去手段による除去の後に前記中間搬送体の前記搬送面に残る前記マイクロカプセルトナーに対し前記画像データに基づいて発色させる発色現像手段と、
を少なくとも備えたことを特徴とする多色画像形成装置。
【請求項２】
前記不用カプセル除去手段は、複数種の特定周波数の超音波を選択的に照射することにより該超音波に共振させて前記中間搬送体の前記搬送面から不使用の前記マイクロカプセルトナーを離隔して除去する第１の超音波ラインヘッドから成り、前記発色現像手段は、画素サイズに収束された複数種の特定周波数の超音波を選択的に照射することにより各特定周波数ごとに選択的に反応する前記小径カプセルの外殻を破壊し、この外殻により分離されていた発色剤と顕色剤とを反応させて所定の色を発色させる第２の超音波ラインヘッドから成ることを特徴とする請求項１記載の多色画像形成装置。
【請求項３】
前記第１の超音波ラインヘッドは、前記第２の超音波ラインヘッドを兼ねることを特徴とする請求項２記載の多色画像形成装置。
【請求項４】
前記中間搬送体の前記搬送面から除去された不使用の前記マイクロカプセルトナーを回収する除去カプセル回収手段を更に有することを特徴とする請求項１記載の多色画像形成装置。
【請求項５】
前記除去カプセル回収手段は、前記第１又は第２の超音波ラインヘッドからの超音波を透過させる液体と、該液体に前記中間搬送体の搬送方向とは逆方向に流動させる液体流動駆動手段と、前記搬送面から除去されて前記液体中に拡散する不使用の前記マイクロカプセルトナーをカプセル供給容器に回収する回収案内手段と、を備えていることを特徴とする請求項４記載の多色画像形成装置。
【請求項６】
前記除去カプセル回収手段は、前記搬送面から除去された不使用の前記マイクロカプセルトナーが飛翔する空間の気体を前記中間搬送体の搬送方向とは逆方向に流動させる気体流動駆動手段と、逆方向に流動する前記気体中を飛翔する前記除去された不使用のマイクロカプセルトナーをカプセル供給容器に回収する回収案内手段と、を備えていることを特徴とする請求項４記載の多色画像形成装置。
【請求項７】
前記回収案内手段は、前記気体中を飛翔する前記除去された不使用のマイクロカプセルトナーが前記気体中を逆流することを防止する案内手段を有することを特徴とする請求項６記載の多色画像形成装置。
【請求項８】
液体を介して照射対象のマイクロカプセルトナーに超音波を照射して該マイクロカプセルトナーを発色させる多色画像形成方法において、
前記液体中の溶存気体量を測定し、
環境温度と気圧を測定し、
前記測定された前記溶存気体量と測定された前記温度と気圧と基準の溶存気体量とから前記液体中の前記溶存気体量の増減量を決定し、
この決定に基づいて前記溶存気体量を調整して超音波の圧力を補正する、
ことを特徴とする多色画像形成方法。
【発明の詳細な説明】
【技術分野】
【０００１】
本発明は、未発色のマイクロカプセルトナーを用いてフルカラーの画像を形成する多色画像形成装置に関する。
【背景技術】
【０００２】
近年、パーソナルコンピュータを中心とした情報機器としてのコンピュータの普及に伴って、その周辺機器のひとつとしてプリンタ装置が普及している。このプリンタ装置には各種の方式のカラープリンタが提案されている。特に、電子写真方式、熱転写方式、インクジェット方式の各方式のプリンタ装置は著しい進歩を遂げており、それらで形成されるカラー画像は美麗さや解像度の点でも古くから用いられてきたアナログカメラの銀塩写真に匹敵し、これにとって代わる勢いである。
【０００３】
電子写真方式では、所謂タンデム方式のカラー画像形成装置が実用化されている。タンデム方式のカラー画像形成装置は、マゼンタ、シアン、イエロー、ブラックの４つの画像形成部にそれぞれ色に対応する現像器が配設されている。
【０００４】
各画像形成部においては、光書込ヘッドから感光体ドラムに光書込みが行われ、その光書込みによる静電潜像に対して現像器により、それぞれの色のトナー像が現像される。各感光体ドラムに現像されたそれぞれの色のトナー像は、搬送ベルトの循環移動に伴って搬送される記録紙に順次重ねて転写され、熱定着器によって熱定着処理が行われて、フルカラーの画像を熱定着された記録紙が機外に排出される。（例えば、特許文献１参照。）
一方、上記従来の方式に対し、新規な方式として、光や熱等の外部刺激に応答するマイクロカプセルを含有するインク層を予めコーティングした専用の記録紙を用い、これに画像情報に対応した光や熱を付与して画像形成を行う装置も提案されている。（例えば、特許文献２参照。）
また、マゼンタ、シアン、イエロー、ブラックにそれぞれ着色した互いに共振周波数の異なる４種類の中空粒子を回転する担持体の表面に均一一層に塗布して、超音波発生部から画像信号に応じて選択的に超音波振動子を駆動し、超音波振動子の振動周波数を共振周波数とする着色中空粒子のみが共振により大きく振動して担持体から離れて電極に引き寄せられ受像体上に付着する方法でカラー画像を形成する方法が提案されている。（例えば、特許文献３参照。）
【特許文献１】特開平９−２８８３９６号公報（［要約］、図１）
【特許文献２】特公平６−９６３３８号公報（第２頁右欄第５０行〜第３頁左欄第２３行、図１）
【特許文献３】特開平１１−０５８８３３号公報（［要約］、図１、図２）
【発明の開示】
【発明が解決しようとする課題】
【０００５】
しかしながら、上記特許文献１のような従来の電子写真方式のカラー画像形成装置は、記録紙Ｐとして普通紙を使用できる点で優れているが、色別に複数のインクやトナーが必要である点で、消耗品の管理が煩雑となる。
【０００６】
また、例えば現像器や画像形成部を複数（例えば、４個）内蔵する必要があり、部品点数が増し、装置も大型化する。そして、これら各色の位置合わせには高い精度が要求されるため、工場での組み立て作業に時間がかかって作業能率の低下要因となる。また、さらに、構造も複雑化し、装置の軽量化の面からも不利である。
【０００７】
また、上記特許文献２の方式において、マイクロカプセルを含有するインク層を予めコーティングした専用の記録紙を用いる方式のカラー画像形成装置の場合は、基本的に記録紙全面にインクを塗布することから、コストアップの原因になる。また普通紙が使用できないという問題もある。さらに、複数色の印字工程を繰り返すことから、色ずれ管理が難しく、装置の複雑化も避けられない。
【０００８】
また、上記特許文献３の方式において、４色のマイクロカプセルを担持体の表面に均一一層に塗布する方法では、４色のマイクロカプセルが画素サイズごとに正しく均一に塗布されていないと、折角画像信号に正しく応じて選択的に超音波振動子を駆動しても正しい色の画素が形成されないという不具合が十分に想定される。
【０００９】
本発明の課題は、上記従来の実情に鑑み、所定の刺激により画像情報に応じた所望の色を発色するマイクロカプセルトナーを無駄なく用いて画像信号に応じた正しい色の印刷処理を行う多色画像形成装置を提供することである。
【課題を解決するための手段】
【００１０】
先ず、第１の発明の多色画像形成装置は、所定の刺激によって破壊可能なカプセル壁で囲繞された複数種の小径マイクロカプセルを支持材に分散内包する大径マイクロカプセルから成り、互いに混合されて発色反応を起こす反応性物質の一方を上記各々の小径マイクロカプセル壁内側に分散し、上記反応性物質の他方を上記支持材に分散して成るマイクロカプセルトナーを用いる多色画像形装置であって、上記マイクロカプセルトナーを中間搬送体の搬送面の少なくとも画像形成最大有効範囲で全面に配置するカプセル全面配置手段と、画像データの論理和より合成されたデータに基づく画素に対応する以外の不使用の上記マイクロカプセルトナーを上記中間搬送体の上記搬送面から除去する不使用カプセル除去手段と、該除去手段による除去の後に上記中間搬送体の上記搬送面に残る上記マイクロカプセルトナーに対し上記画像データに基づいて発色させる発色現像手段と、を少なくとも備えて構成される。
【００１１】
この多色画像形成装置においては、例えば、上記不用カプセル除去手段は、複数種の特定周波数の超音波を選択的に照射することにより該超音波に共振させて上記中間搬送体の上記搬送面から不使用の上記マイクロカプセルトナーを離隔させて除去する第１の超音波ラインヘッドから成り、上記発色現像手段は、画素サイズに収束された複数種の特定周波数の超音波を選択的に照射することにより各特定周波数ごとに選択的に反応する上記小径カプセルの外殻を破壊し、この外殻により分離されていた発色剤と顕色剤とを反応させて所定の色を発色させる第２の超音波ラインヘッドから成るように構成される。
【００１２】
この場合、例えば、上記第１の超音波ラインヘッドは、上記第２の超音波ラインヘッドを兼ねるように構成しても良い。
また、本発明の多色画像形成装置は、例えば、上記中間搬送体の上記搬送面から除去された不使用の上記マイクロカプセルトナーを回収する除去カプセル回収手段を更に有して構成される。
【００１３】
この場合、上記除去カプセル回収手段は、上記第１又は第２の超音波ラインヘッドからの超音波を透過させる液体と、該液体に上記中間搬送体の搬送方向とは逆方向に流動させる液体流動駆動手段と、上記搬送面から除去されて上記液体中に拡散する不使用の上記マイクロカプセルトナーをカプセル供給容器に回収する回収案内手段と、を備えて構成するようにしても良い。
【００１４】
また、例えば、上記除去カプセル回収手段は、上記搬送面から上記除去された不使用のマイクロカプセルトナーが飛翔する空間の気体を上記中間搬送体の搬送方向とは逆方向に流動させる気体流動駆動手段と、逆方向に流動する上記気体中を飛翔する上記除去された不使用のマイクロカプセルトナーをカプセル供給容器に回収する回収案内手段と、を備えて構成するようにしても良い。
【００１５】
この場合、上記回収案内手段は、上記気体中を飛翔する上記除去された不使用のマイクロカプセルトナーが上記気体中を逆流することを防止する案内手段を有することが好ましい。
【００１６】
次に、第２の発明の多色画像形成方法は、液体を介して照射対象のマイクロカプセルトナーに超音波を照射して該マイクロカプセルトナーを発色させる多色画像形成方法において、上記液体中の溶存気体量を測定し、環境温度と気圧を測定し、上記測定された上記溶存気体量と測定された上記温度と気圧と基準の溶存気体量とから上記液体中の上記溶存気体量の増減量を決定し、この決定に基づいて上記溶存気体量を調整して超音波圧力を補正するように構成される。
【発明の効果】
【００１７】
本発明によれば、多色に発色可能な未発色のマイクロカプセルトナーを担持体上一面にベタ配置しても、発色処理前に不使用のマイクロカプセルトナーを除去・回収するので、不使用のマイクロカプセルトナーの再利用が可能となって経済的である。
【００１８】
また、除去した不使用のマイクロカプセルトナーが拡散又は飛翔する液体又は気体を担持体の移動方向とは別方向に流動駆動するので、担持体に搬送される発色用のマイクロカプセルトナーに不使用のマイクロカプセルトナーが再混入することがなく、不使用のマイクロカプセルトナーを１００％回収できて、この点でも経済的である。
【００１９】
また、除去処理を行う工程と発色処理を行う工程を相互に独立の超音波ラインヘッドで行うことが可能であるので、各処理を高速に行うことができると共に超音波ラインヘッド以外の他の発色処理方法又は除去処理方法を選択することが容易となって設計の自由度が拡大して便利である。
【００２０】
また、除去処理を行う工程と発色処理を行う工程を同一の超音波ラインヘッドで行うことも可能であるので、装置全体の小型化と低廉化に貢献することが可能となる。
【発明を実施するための最良の形態】
【００２１】
以下、本発明の実施の形態を図面を参照しながら説明する。
図１(a) は、本発明の第１の原理図であり、同図(b) はその主要部の機能を模式的に示す図である。同図(a) に示すように、本発明は、カプセルベタ配置機構１、不使用カプセル除去機構２、カプセル発色機構３、用紙転写機構４、及び定着機構５からなり、不使用カプセル除去機構２には、除去カプセル回収機構６が附加される。
【００２２】
本発明は、同図(b) に示す詳しくは後述する超音波応答性のマイクロカプセルトナー７を使用し、液体８中に配置された例えば中間体転写ベルト等からなる中間搬送体９に、上記のカプセルベタ配置機構１によって、マイクロカプセルトナー７が中間搬送体９の搬送面の少なくとも画像形成最大有効範囲１０で全面に配置される。
【００２３】
上記の中間搬送体９は、図の矢印ａで示すように図の右方に循環移動して搬送面上に配置されたマイクロカプセルトナー７を搬送しており、液体８は、中間搬送体９の上記搬送方向とは別方向（同図に示す例では反対方向）となる図の矢印ｂで示す左方に流動している。
【００２４】
中間搬送体９の搬送面の反対面には、所定の２箇所に接して第１の超音波ラインヘッド１１と第２の超音波ラインヘッド１２が配置されている。第１の超音波ラインヘッド１１は、画像データの論理和より合成されたデータに基づく画素に対応する以外の不使用のマイクロカプセルトナー７を中間搬送体９の搬送面から除去する。
【００２５】
同図(b) に示す例では、中間搬送体９の搬送面の画像形成最大有効範囲１０の両側で、それぞれ画像データの無い領域１３ａ、１３ｂにベタ配置されていたマイクロカプセルトナー７の中で画像形成に不用な部分である不使用のマイクロカプセルトナー７に、第１の超音波ラインヘッド１１から破壊共振周波数とは異なる強力集束超音波が照射される。
【００２６】
これにより、強力集束超音波を照射された不使用のマイクロカプセルトナー７は、超音波進行方向へ弾き飛ばされる。すなわち、中間搬送体９の搬送面から離隔して除去され、除去マイクロカプセルトナー７´となって液体８中に拡散して浮揚する。
【００２７】
除去された除去マイクロカプセルトナー７´は、液体８が中間搬送体９の搬送方向と逆方向に流動していることにより、第１の超音波ラインヘッド１１よりも搬送方向下流側に流れて、自らが除去された画像データの無い領域１３ａ、１３ｂや除去されずに画像データに対応して搬送面上に残っているマイクロカプセルトナー７上に、沈降するというようなことなく、液体８の流れにより除去カプセル回収機構６へと運ばれて、除去カプセル回収機構６によって回収される。
【００２８】
除去されず画像データに対応して搬送面上に残っているマイクロカプセルトナー７は、第２の超音波ラインヘッド１２の上まで搬送されてきたとき、第２の超音波ラインヘッド１２から画素サイズに収束された複数種の共振破壊周波数の超音波を選択的に照射されることによって、マイクロカプセルトナー７中の詳しくは後述する小径マイクロカプセルが共振破壊されて所定の色に発色して画像データに対応する例えばカラー画像１４（１４ａ、１４ｂ）が形成される。この後、上記のカラー画像１４は、用紙転写機構４により用紙に転写され、定着機構５によって用紙面に定着される。
【００２９】
尚、ここでは、上記の不使用カプセル除去機構２は、第１の超音波ラインヘッド１１、液体８、中間搬送体９等で構成され、カプセル発色機構３は、第２の超音波ラインヘッド１２、液体８、中間搬送体９等で構成されている。また、不使用カプセル除去機構２の一部としての液体８は、除去カプセル回収機構６の一部としても機能している。そして、カプセル発色機構３の一部としての液体８は、第２の超音波ラインヘッド１２による超音波の照射伝播の効率を助成する機能を有している。
【００３０】
図２(a) は、本発明の第１の原理図の変形例を示す図であり、同図(b) はその主要部の機能を模式的に示す図である。同図(a) に示すように、この変形例では、図１の原理図に示した不使用カプセル除去機構２及びカプセル発色機構３に代わって、不使用カプセル除去＆発色機構１５が設けられる。
【００３１】
この変形例では、同図(b) に示すように、図１に示した第１の超音波ラインヘッド１１の位置に、第３の超音波ラインヘッド１６が配置され、図１に示した第２の超音波ラインヘッド１２は除去されている。この第３の超音波ラインヘッド１６は図１に示した第１の超音波ラインヘッド１１の機能と第２の超音波ラインヘッド１２の機能を兼ねており、最初に第１の超音波ラインヘッド１１の機能で動作して、不使用のマイクロカプセルトナー７を中間搬送体９の搬送面から除去し、次に、第２の超音波ラインヘッド１２の機能で動作して除去されず搬送面上に残っているマイクロカプセルトナー７を画像データに対応した色に発色させる。
【００３２】
この変形例では、図１の場合よりもほぼ２倍の処理時間がかかるが、マイクロカプセルトナー７の除去と発色の２つの処理を第３の超音波ラインヘッド１６の１個のみで行うので、装置全体のコストが低減され、また小型化にも貢献できる。
【００３３】
図３(a) は、本発明の第２の原理の主要部を模式的に示す図であり、同図(b) は、その変形例を示す図である。同図(a) に示す図の液体８に代わって気体１７が配置される。この場合も、中間搬送体９の搬送面には画像形成最大有効範囲１０にマイクロカプセルトナー７が配置されて矢印ａ方向に搬送され、その搬送方向とは反対方向である矢印ｂで示す方向に、気体１７が流動している。
【００３４】
上記中間搬送体９の搬送面の画像形成最大有効範囲１０全面に展開されたマイクロカプセルトナー７の配置層の上に近接して隔離板１８が配置される。この隔離板１８の中間搬送体９の搬送方向下流側端部近傍で、中間搬送体９の下面に接して第１の超音波ラインヘッド１１が配置される。
【００３５】
第１の超音波ラインヘッド１１からの超音波照射によって中間搬送体９の搬送面から矢印ｃで示すように弾き飛んで気体１７中を飛翔する除去マイクロカプセルトナー７´は、気体１７が中間搬送体９の搬送方向とは反対方向の矢印ｂ方向に流動していることにより、隔離板１８上に落下し、この場合も、自らが除去された画像データの無い領域１３ａ、１３ｂや除去されず画像データに対応して搬送面上に残っているマイクロカプセルトナー７上に、落下することなく、隔離板１８上を気体１７の流れによって上流側に移動し、除去カプセル回収機構６によって回収される。
【００３６】
この後、第２の超音波ラインヘッド１２によってマイクロカプセルトナー７が発色される際には、環境が気体７中であるので、超音波の照射伝播効率を助成するために、発色部１９におけるマイクロカプセルトナー７のみを液体中に置くようにする。これには、特には図示しないが、例えば液体噴霧装置又は液体塗布装置等を用いるとよい。これにより、この場合も照射効率よくカラー画像１４（１４ａ、１４ｂ）等が形成される。
【００３７】
また、図３(b) は、中間搬送体９の搬送面の画像形成最大有効範囲１０全面にマイクロカプセルトナー７がベタ配置される際には、中間搬送体９は液体８中に配置される。マイクロカプセルトナー７がベタ配置された後の中間搬送体９は、角度θで上に傾斜面を形成して気体１７中に出る。その液体８と気体１７との境界２１（傾斜の境界でもある）から所定の距離だけ下流側に離れた位置で、中間搬送体９の下面に接して第１の超音波ラインヘッド１１が配置される。
【００３８】
第１の超音波ラインヘッド１１からの超音波照射によって中間搬送体９の搬送面から除去マイクロカプセルトナー７´が弾き飛ぶ際には、中間搬送体９の搬送面から矢印ｄで示すように直角方向に弾き飛ぶので、その下方に落下する除去マイクロカプセルトナー７´は全て液体２１に落下して、この場合も、自らが除去された画像データの無い領域１３ａ、１３ｂや除去されず画像データに対応して搬送面上に残っているマイクロカプセルトナー７上に、落下することなく、液体２１を介して除去カプセル回収機構６によって回収される。
【００３９】
（実施例１）
図４(a) は、本発明の上述した原理を用いたマイクロカプセルトナーを用いる多色画像形成装置の第１の実施形態における主要部の構成を示す図であり、同図(b),(c) は、その変形例を示す図である。
【００４０】
図４(a) に示すように、先ず、中間搬送体９は、矢印ａで示す搬送方向とは反対方向の矢印ｂ方向に流れる液体８中において、その搬送面の画像形成最大有効範囲１０にマイクロカプセルトナー７をベタ配置される。
【００４１】
このように、マイクロカプセルトナー７をベタ配置された中間搬送体９は、上方向に傾斜して傾斜面９ｋを形成しながら液体８中から気体１７中にでる。このとき、搬送面にベタ配置されているマイクロカプセルトナー７の層には、浸透した液体８が付着している。この液体８が乾き上がる前に超音波を照射すべく、上記の液体８と気体１７との境界２２から水平方向に所定の距離Ｘだけ離れ、上記傾斜面９ｋを形成している中間搬送体９の裏面に接して第１の超音波ラインヘッド１１が配置されている。
【００４２】
ここで、この第１の超音波ラインヘッド１１からの超音波の照射によって、付着している液体８中から弾き出る除去マイクロカプセルトナー７´は、照射位置に立つ鉛直線２３に対し所定の角度θをもって所定の初速度で飛び出すように、照射される超音波の音圧が制御される。
【００４３】
これにより、照射位置に立つ鉛直線２３に対し所定の角度θで、気体１７中を所定の距離ｅ点まで飛翔して高さｈまで達した除去マイクロカプセルトナー７´は、図の矢印ｆで示すように放物線を描いて液体８中に落下し、液体８の流れに沿って回収される。
【００４４】
ここで、除去マイクロカプセルトナー７´が弾き飛ばされる方向の鉛直線２３からの傾斜角θ、ｅ点までの飛翔距離ａとすると「ａ・ｓｉｎθ＞Ｘ」となるように、第１の超音波ラインヘッド１１から除去すべきマイクロカプセルトナー７に集束音圧が照射される。
【００４５】
傾斜面９ｋから再び水平状態に戻った中間搬送体９の裏面に接して、除去されずに残されたマイクロカプセルトナー７に未だ付着している液体８が乾き切らない位置に、第２の超音波ラインヘッド１２が配置されている。ここで、第２の超音波ラインヘッド１２からの超音波の選択的な照射を受けて、マイクロカプセルトナー７が画像データに応じた色に発色し、カラー画像１４が形成され、図外の転写部を経由してこれも図外の定着部で定着されて用紙面へのカラー画像の形成が完成する。
【００４６】
図４(b) は、同図(a) の除去マイクロカプセルトナー７´の飛翔方向に、中間搬送体９の傾斜面９ｋとほぼ平行する傾斜を形成する回収案内板２４が配置され、その下方に所定の間隔を置いて平行する落下防止案内板２５が配置された例を示している。除去マイクロカプセルトナー７´は、回収案内板２４に当接した後、矢印ｇで示すように回収案内板２４又は落下防止案内板２５の傾斜面に案内されて、液体８中に落下し回収される。
【００４７】
この例では、回収案内板２４を配置によって、除去マイクロカプセルトナー７´の飛翔距離が短縮された分に対応して、気体層の高さｈ´を、同図(a) の気体層の高さｈよりも低くすることができ、装置全体の小型化に貢献できる。
【００４８】
図４(c) は、同図(b) の回収案内板２４に代わって、回収ベルト２６が配置され、ベルト下面に接して、同図(b) の落下防止案内板２５に代わってクリーナ２７の回収ローラ２８が配置される。図の矢印ｈで示すように時計回り方向に循環移動する回収ベルト２６の下面に当接した除去マイクロカプセルトナー７´は、そのまま回収ベルト２６の下面に吸着して左方へ運ばれ、回収ベルト２６の左端近傍で回収ベルト２６の下面に当接しているクリーナ２７の回収ローラ２８によって回収され、クリーナ２７内を矢印ｊで示すように移動して回収機構部により回収される。
【００４９】
ここで、上記のマイクロカプセルトナー７について説明する。
図５(a) は、上記のような発色前のマイクロカプセルトナー７の構造を示す図であり、同図(b) は、その内部に包含される小径マイクロカプセルの構造を示す図、同図(c),(d) は、マイクロカプセルトナー７が超音波照射を受けて選択的に発色する原理を説明する図である。
【００５０】
同図(a) に示すように、マイクロカプセルトナー７は大径マイクロカプセル３０内に、マゼンタ（Ｍ）、シアン（Ｃ）、イエロー（Ｙ）、ブラック（Ｋ）の４種類の小径マイクロカプセル３１Ｍ、３１Ｃ、３１Ｙ、３１Ｋを内包した構成であり、各小径マイクロカプセル３１Ｍ、３１Ｃ、３１Ｙ、３１Ｋには小径カプセル壁３２が形成されている。また、上記小径マイクロカプセル３１Ｍ、３１Ｃ、３１Ｙ、３１Ｋは、大径マイクロカプセル３０内に封入されたジェル状の保持材３３中にランダムに分散している。
【００５１】
また、同図(b) に示すように、小径マイクロカプセル３１（３１Ｍ、３１Ｃ、３１Ｙ、３１Ｋ）は、上述したように小径カプセル壁３２で覆われ、発色剤３４を内包し、さらに、気泡３５が封入されている。そして、小径カプセル壁３２の外側を上述した保持材３３中に分散されている顕色剤３６が取り囲んでいる。
【００５２】
上記の大径マイクロカプセル３０の直径は例えば１０μｍで構成され、小径マイクロカプセル３１の直径は、例えば１μｍ〜４μｍ程度である。このように小径マイクロカプセル３１つまり小径カプセル壁３２の直径が色毎に異なるのは、色毎に超音波に対する共振周波数を異ならせるためである。また、上記のように小径カプセル壁３２内に気泡３５を内包すると、小径カプセル壁３２内部の音響インピーダンスを変化させることができることが知られており、より少ないエネルギーの共振によって小径カプセル壁３２を破壊し易くなることが判明している。
【００５３】
上記のように、マイクロカプセルトナー７は大径カプセル３０内にマゼンタ（Ｍ）、シアン（Ｃ）、イエロー（Ｙ）、ブラック（Ｋ）の４種類の小径マイクロカプセル３１Ｍ、３１Ｃ、３１Ｙ、３１Ｋが内包されており、共振周波数の超音波を受けた小径マイクロカプセルの小径カプセル壁３２が破壊され、内部の発色剤３４が顕色剤３６と混合して反応し、発色する。
【００５４】
例えば、同図(c) は、不図示の超音波ラインヘッドから単一の共振周波数の超音波Ｓがマイクロカプセルトナー７に照射されている状態を示している。この場合は、この共振周波数で振動する小径マイクロカプセルのみが破壊されて発色する。また、同図(d) は超音波ラインヘッドから２つの共振周波数の超音波Ｓ１、Ｓ２がマイクロカプセルトナー７に照射される状態を示している。この場合は、これらの共振周波数Ｓ１、又はＳ２で振動する小径カプセルが破壊されてそれぞれ発色する。
【００５５】
例えば、小径マイクロカプセル３１Ｍの小径カプセル壁３２のみが破壊されると、マゼンタ（Ｍ）色が発色する。また、小径マイクロカプセル３１Ｃの小径カプセル壁３２のみが破壊されるとシアン（Ｃ）色が発色する。また、小径マイクロカプセル３１Ｍの小径カプセル壁３２と小径マイクロカプセル３１Ｃの小径カプセル壁３２が破壊されると、赤色が発色し、小径マイクロカプセル３１Ｃの小径カプセル壁３２と小径マイクロカプセル３１Ｙの小径カプセル壁３２が破壊されると、青色が発色する。
【００５６】
図６(a),(b) は、小径マイクロカプセル３１の気泡半径別振幅と周波数依存性を示す図である。同図(a),(b) は、横軸に超音波の共振周波数をＨｚで示し、縦軸に小径マイクロカプセル３１の振幅（ΔＲ/Ｒo）を示している。
【００５７】
同図(a) は、マゼンタ、シアン、イエローにそれぞれ発色する小径マイクロカプセル３１（３１Ｍ、３１Ｃ、３１Ｙ）の半径の変化率を色別毎に異ならせた時の共振周波数を表したものであり、イエロー（Ｙ）に発色する小径マイクロカプセル３１Ｙに照射する共振周波数を３１ｆ−ｙで示し、マゼンタ（Ｍ）に発色する小径マイクロカプセル３１Ｍに照射する共振周波数を３１ｆ−ｍで示し、シアン（Ｃ）に発色する小径マイクロカプセル３１Ｃに照射する共振周波数を３１ｆ−ｃで示している。
【００５８】
実験によれば、小径マイクロカプセル３１の最大振幅が５０％以上膨張すると、小径カプセル壁３４に亀裂が生じることが確認された。したがって、同図(a) に示すように、膨張率が６０％を超える周波数（共振周波数）を持つ超音波を照射することによって、所望の小径マイクロカプセル３１の小径カプセル壁３４を破壊し、発色剤と顕色剤を混合反応させて、所望の色を発色させることができる。
【００５９】
また、同図(b) は、大径マイクロカプセル３０内に小径マイクロカプセル３１Ｍ、３１Ｃ、３１Ｙと更にブラック（Ｋ）の小径マイクロカプセル３１Ｋを含む場合の特性を示す図である。この場合、同図(a) から分かるように、上記３種の共振周波数と異なる共振周波数３１ｆ−ｋの設定を行い、ブラック（Ｋ）を加えた４種の小径マイクロカプセル３１Ｍ、３１Ｃ、３１Ｙ、３１Ｋを選択的に破壊することができる。
【００６０】
図７は、上記の小径マイクロカプセル３１の小径カプセル壁３２を破壊する超音波を発振する第２の超音波ラインヘッド１２（以下、単に超音波ラインヘッド１２という）の外観斜視図である。同図に示す超音波ラインヘッド１２は、その長手方向に超音波素子が形成されている。
【００６１】
図８は、例えば上記の第２の超音波ラインヘッド１２の構成を具体的に説明する図であり、同図(a) は、第２の超音波ラインヘッド１２の上面図、同図(b) はその個別印加電極の上面図、同図(c) は同図(b) のＡ−Ａ´矢視断面図、同図(d) は同図(c) のＢ−Ｂ´矢視断面図である。
【００６２】
この第２の超音波ラインヘッド１２は、同図(c),(d) に示すように、担持体３７内に５層の部材を積層して構成される。最下層（第５層）には共通電極３８−５（アース）が配設され、第４層には圧電素子である超音波素子３８−４が配設され、第３層には主走査方向に短冊状に並んだ個別印加電極３８−３が配設され、第２層には超音波素子３８−４と超音波伝搬媒体との音響インピーダンスの差を軽減する為の音響インピーダンス整合層３８−２が配設され、更に第１層には音響レンズ３８−１が配設されている。
【００６３】
超音波素子３８−４には、個別印加電極３８−３と共通電極（アース）３８−５が接続され、個々の個別印加電極３８−３からは個別配線３８−３−１が外部に引き出されている。これらの電極から、前述の所望の小径カプセル壁３２を破壊する超音波を発振するための超音波出力信号が供給される。超音波素子３８−４は上記信号が印加されると歪みを生じ、所定の周波数で超音波振動が励起される。
【００６４】
超音波素子３８−４で励起された超音波振動は音響インピーダンス整合層３８−２を通して音響レンズ３８−１で屈折され、指定位置（指定距離）に集束する。尚、音響インピーダンス整合層３８−２は上記のように、超音波素子３８−４と超音波伝搬媒体との音響インピーダンスの差を軽減する機能を有している。
【００６５】
一般に、マイクロマイクロカプセルトナー７が配置されている指定位置に画素サイズの超音波ビームを集束させるためには超音波素子３８−４を微細なサイズに加工することが困難であることと前述の小径カプセル壁３２を破壊するために必要な超音波の音圧を１個の超音波素子３８−４で得ることが困難であることから、主走査方向及び副走査方向に複数からなる超音波素子３８−４の超音波ビームを集束させることによって指定位置に画素サイズの超音波ビームを集束させるようにする。
【００６６】
図９は主走査方向（Ｘ方向）に配設された超音波素子３８−４と、超音波素子３８−４から出力される超音波の集束位置の関係を示す図である。尚、同図においては説明上、超音波素子３８−４には紙面の左側から素子番号１、２、３、・・・が付与されている。また、同図に示す集束位置には、画素番号（例えば、１〜７１６８）が付与されている。尚、上記集束位置は、例えば図４(a),(b),(c) において、中間搬送体９上に配置され、除去マイクロカプセルトナー７´を取り除かれて、中間搬送体９により搬送されるマイクロカプセルトナー７が途中で第２の超音波ラインヘッド１２と対峙する位置である。
【００６７】
図１０は、上記超音波素子３８−４の配設構成の一部を拡大して示す図であり、例えば超音波素子「１」〜「６」までを拡大して示している。互いに隣り合う超音波素子３８−４は間隔ｄを有して配設されており、同時にｍ個の超音波素子３８−４が時間遅延しながら駆動される。
【００６８】
例えば、同図に示すＡ点について考えると、同時にｍ個（例えば５個）の超音波素子３８−４を時間遅延させて５個の超音波素子３８−４の中心（Ａ点）に強力な超音波をあてる。例えば、「１」の超音波素子３８−４とＡ点の距離、「２」の超音波素子３８−４とＡ点の距離、「３」の超音波素子３８−４とＡ点の距離は少しずつ異なり、この距離差と超音波の伝搬速度から各超音波素子３８−４の出力タイミングをずらし、所定のタイミングで超音波出力を行う。このように制御することにより、同時にＡ点に強力な超音波を照射することができる。
【００６９】
また、上記Ａ点に限らず、超音波素子３８−４からの超音波出力のタイミングを調整することによって、超音波素子３８−４の配設ピッチより狭い位置（例えば、１/２ｄの位置、Ｂ点）に複数の超音波素子３８−４から出力された超音波ビームを集束させることもできる。したがって、例えば１画素間隔で（ピッチｄで）超音波ビームの集束位置を主走査方向にずらして制御することによって、１画素間隔で前述のマイクロカプセルトナー７に対して強力な超音波ビームを集束することができ、小径カプセル壁３２を破壊して所望の色の発色を１画素間隔で行うことができる。
【００７０】
また、副走査方向については、上記音響レンズ３８−１の屈折を利用して超音波ビームの集束サイズを小さくすることができる。したがって、副走査方向に集束画素サイズを小さく構成することによって、より解像度の高い画像を形成することが可能となる。例えば、画素サイズを１/４とすることによって超音波ビームを１画素に対して４回供給することができ、４階調の色制御が可能となる。
【００７１】
図１１は、本発明の第２の実施形態における多色画像形成装置の構成を模式的に示す図である。尚、同図には、形状は異なるが、前述の図１〜図４の構成と同一の機能を有する機能構成部分には、図１〜図４と同一の番号を付与して示している。
【００７２】
図１１に示すように、この多色画像形成装置４０は、中心部に回転する円筒状の中間搬送体９を備えている。この中間搬送体９は図の矢印ｋで示すように時計回り方向に回転している。この中間搬送体９の右上部分に、カプセルベタ配置機構１が配設されており、このカプセルベタ配置機構１によって、中間搬送体９の周面に、マイクロカプセルトナー７が、ベタ配置されている。
【００７３】
中間搬送体９の右横方向の内部周面に接して第１の超音波ラインヘッド１１が配設されており、この第１の超音波ラインヘッド１１と対峙する中間搬送体９の外周面外側に、気体（空気）１７の流れを中間搬送体９の回転方向つまり搬送方向とは別方向（図の例では直角方向）に生成する不使用カプセル除去機構２が配設されている。
【００７４】
中間搬送体９の回転によって上記の第１の超音波ラインヘッド１１と不使用カプセル除去機構２との対峙部に搬送されてきたベタ配置のマイクロカプセルトナー７のうち、画像形成には関与しない不使用のマイクロカプセルトナー７が、第１の超音波ラインヘッド１１からの破壊共振周波数とは異なる強力集束超音波の照射によって中間搬送体９の搬送面から弾き飛ばされ、除去マイクロカプセルトナー７´となって、不使用カプセル除去機構２内の気体１７中を飛翔し、気体１７の流れに沿ってカプセル回収機構６に運ばれ、カプセル回収機構６に回収される。
【００７５】
他方、除去されずに中間搬送体９の搬送面に残った画像形成に関与するマイクロカプセルトナー７は、そのまま中間搬送体９の回転に伴われて下方に搬送される。その中間搬送体９最下部には、中間搬送体９の内部周面に接して第２の超音波ラインヘッド１２が配設されており、この配設部分で、第２の超音波ラインヘッド１２の先端の超音波照射部と中間搬送体９の内外周面が、カプセル発色機構３の液体８中に浸漬している。
【００７６】
一般に、液体は固体と共に超音波が効率よく伝播する素材であり、このように、第２の超音波ラインヘッド１２の先端の超音波照射部と中間搬送体９の内外周面が液体８中に浸漬していることにより、第２の超音波ラインヘッド１２の先端の超音波照射部と、中間搬送体９の外周面上のマイクロカプセルトナー７との間には、液体８と中間搬送体９（固体）が存在するだけで、気体は存在しないから、第２の超音波ラインヘッド１２から照射される超音波は、効率よくマイクロカプセルトナー７に伝播される。
【００７７】
第２の超音波ラインヘッド１２により、画素サイズに収束された複数種の共振破壊周波数の超音波を選択的に照射され、上述した小径マイクロカプセルが選択的に共振破壊されて所定の色に発色し、画像データに対応するカラー画像１４が形成される。この後、上記のカラー画像１４は、用紙転写機構４により用紙に転写され、定着機構５によって用紙面に定着される。
【００７８】
ところで、一般に、超音波は伝播に伴って減衰するが、その減衰の主な要因に、吸収減衰がある。吸収減衰は温度が上がると小さくなり、温度が下がると大きくなる。また、気圧が高くなると小さくなり、気圧が低くなると大きくなる。
【００７９】
このように、吸収減衰は環境変化に大きく左右されるので、上記のような発色処理においては、マイクロカプセルトナー７への共振超音波照射の音圧の制御として、環境条件に応じた調整により補正を行うと、超音波照射効率がより一層向上する。
【００８０】
この音圧の調整は、音源音圧をＰ0 、マイクロカプセルトナー７に加わる音圧をＰ、超音波の吸収係数をα、音源と超音波照射対象までの距離をｘとして、次式
Ｐ＝Ｐ0ｅ^-αx    ・・・（１）
によって行う。初期設定では、吸収係数αは任意の値α1 とし、音源音圧Ｐ0 はそのときの駆動電圧によって決定される。
【００８１】
ここでは、多色画像形成装置４０の稼動時において、ｘ＝ｘ1 において得られる音圧Ｐを「Ｐ0ｅ^-α1x1 」と見積もる。そして、実際の稼動時の吸収値から、吸収係数がα2 であったとすると、吸収値の示す吸収係数をα2→α1 と変化させて、つまり補正して、見積もりどおりの音圧を得ようとするものである。上記の吸収係数αを補正するためには液体８中の溶存気体量を調整するとよい。溶存気体量が増えると吸収係数αは大きくなり溶存気体量が減ると吸収係数αは小さくなる。
【００８２】
図１２(a) は、以上のように超音波照射効率を一定に維持するための吸収係数の補正方法を実現するためのカプセル発色機構３の構成ブロック図であり、同図(b) は、温度と気圧と吸収率の関係を示す図である。同図(a) に示すように、カプセル発色機構３には、前述の第２の超音波ラインヘッド１２と液体８の他に気圧計４１、温度計４２、溶存ガスメータ４３、バブリング装置４４及び脱気装置４５が設けられる。
【００８３】
また、同図(b) は、前述したように温度Ｔ（Ｔ1 ＜Ｔ2 ）が上がると吸収減衰が小さくなり、温度Ｔが下がると吸収減衰が大きくなることを示すと共に、気圧が高くなると吸収減衰が小さくなり、気圧が低くなると吸収減衰が大きくなることを示している。
【００８４】
図１３は、上記のカプセル発色機構による吸収係数の補正処理を説明するフローチャートである。同図において、補正処理が開始されると、先ず、脱気装置４５により、初期設定吸収値になるまで、液体８からの脱気を行う（Ｓ１）。
【００８５】
次に、気圧計４１と温度計４２により、温度と気圧を検知する（Ｓ２）。
そして、検知した温度と気圧により現在の超音波の吸収値を決定する（Ｓ３）。この処理では、図１２(b) に示す温度と気圧と吸収率の関係テーブルから吸収値が決定される。
【００８６】
上記に続いて、予め設定されている基準の吸収値と現在の上記の吸収値を比較する（Ｓ４）。
そして、現在の吸収値が基準の吸収値よりも小さいときは、バブリング装置４４により液体８内へのバブリングを行って液体８内の溶存気体量を増加させ（Ｓ５）、溶存ガスメータ４３により溶存ガスを検知し（Ｓ６）、現在の吸収値が予め設定されている吸収値と一致したとき（Ｓ７）、第２の超音波ラインヘッド１２から所定の共振周波数の超音波を照射する（Ｓ８）。
【００８７】
また、上記Ｓ４の比較処理において、現在の吸収値が予め設定されている吸収値と一致していれば、直ちに処理Ｓ８において第２の超音波ラインヘッド１２から所定の共振周波数の超音波を照射する。
【００８８】
また、上記Ｓ４の比較処理において、現在の吸収値が予め設定されている吸収値よりも大きいときは、脱気装置４５により液体８からの脱気を行って液体８内の溶存気体量を減少させ（Ｓ９）、溶存ガスメータ４３により溶存ガスを検知し（Ｓ１０）、現在の吸収値が予め設定されている吸収値と一致したとき（Ｓ１１）、処理Ｓ８において、第２の超音波ラインヘッド１２から所定の共振周波数の超音波を照射する。
【００８９】
このように、環境条件に応じた溶存ガスの調整により吸収係数の補正を行って、マイクロカプセルトナー７への共振超音波の照射を常に一定の音圧に維持するように制御する。
【図面の簡単な説明】
【００９０】
【図１】(a) は本発明の第１の原理図、(b) はその主要部の機能を模式的に示す図である。
【図２】(a) は本発明の第１の原理図の変形例を示す図、(b) はその主要部の機能を模式的に示す図である。
【図３】(a) は本発明の第２の原理の主要部を模式的に示す図、(b) はその変形例を示す図である。
【図４】(a) は本発明の原理を用いたマイクロカプセルトナーを用いる多色画像形成装置の第１の実施形態における主要部の構成を示す図、(b),(c) はその変形例を示す図である。
【図５】(a) は発色前のマイクロカプセルトナーの構造を示す図、(b) はその内部に包含される小径マイクロカプセルの構造を示す図、(c),(d) はマイクロカプセルトナーが超音波照射を受けて選択的に発色する原理を説明する図である。
【図６】(a),(b) は小径マイクロカプセルの気泡半径別振幅と周波数依存性を示す図である。
【図７】小径マイクロカプセルの小径カプセル壁を破壊する超音波を発振する超音波ラインヘッドの外観斜視図である。
【図８】(a) は超音波ラインヘッドの上面図、(b) はその個別印加電極の上面図、(c) は(b) のＡ−Ａ´矢視断面図、(d) は(c) のＢ−Ｂ´矢視断面図である。
【図９】超音波ラインヘッドにおいて主走査方向（Ｘ方向）に配設された超音波素子と超音波素子から出力される超音波の集束位置の関係を示す図である。
【図１０】超音波ラインヘッドにおける超音波素子の配設構成の一部を拡大して示す図である。
【図１１】本発明の第２の実施形態における多色画像形成装置の構成を模式的に示す図である。
【図１２】(a) は超音波照射効率を一定に維持するための吸収係数の補正方法を実現するためのカプセル発色機構の構成ブロック図であり、(b) は温度と気圧と吸収率の関係を示す図である。
【図１３】カプセル発色機構による吸収係数の補正処理のフローチャートである。
【符号の説明】
【００９１】
１      カプセルベタ配置機構
２      不使用カプセル除去機構
３      カプセル発色機構
４      用紙転写機構
５      定着機構
６      除去カプセル回収機構
７      マイクロカプセルトナー
７´    除去マイクロカプセルトナー
８      液体
９      中間搬送体
１０    画像形成最大有効範囲
１１    第１の超音波ラインヘッド
１２    第２の超音波ラインヘッド
１３ａ、１３ｂ  画像データの無い領域
１４（１４ａ、１４ｂ、１４ｃ、１４ｄ）  カラー画像
１５    不使用カプセル除去＆発色機構
１６    第３の超音波ラインヘッド
１７    気体
１８    隔離板
１９    発色部
２１    液体と気体との境界（傾斜の境界）
２２    液体と気体との境界
２３    照射位置に立つ鉛直線
２４    回収案内板
２５    落下防止案内板
２６    回収ベルト
２７    クリーナ
２８    回収ローラ
３０    大径マイクロカプセル
３１（３１Ｍ、３１Ｃ、３１Ｙ、３１Ｋ）  小径マイクロカプセル
３２    小径カプセル壁
３３    保持層
３４    発色剤
３５    気泡
３６    顕色剤
３７    担持体
３８−１  音響レンズ
３８−２  音響インピーダンス整合層
３８−３  個別印加電極
３８−４  超音波素子
３８−５  共通電極
４０    多色画像形成装置
４１    気圧計
４２    温度計
４３    溶存ガスメータ
４４    バブリング装置
４５    脱気装置
【図１】
2005225013.tif 000003
【図２】
2005225013.tif 000004
【図３】
2005225013.tif 000005
【図４】
2005225013.tif 000006
【図５】
2005225013.tif 000007
【図６】
2005225013.tif 000008
【図７】
2005225013.tif 000009
【図８】
2005225013.tif 000010
【図９】
2005225013.tif 000011
【図１０】
2005225013.tif 000012
【図１１】
2005225013.tif 000013
【図１２】
2005225013.tif 000014
【図１３】
2005225013.tif 000015